(57)【要約】【課題】引き戸の先端と引き戸の枠体との間に指などを挟む事故を防止し、施錠などのストッパー機能が不要な場合にも即座に対応する。【解決手段】本考案の引き戸用ストッパーは、引き戸の戸先や戸尻に装着され、少なくとも一対の対向する面を有する基部と、その基部の一対の対向する面に形成された凹みに両端が嵌め込まれて支持された１本の軸と、その軸により一方の端が支持されてなる棒状の部材とを有する。操作時には、前記棒状の部材が、前記軸を中心として所定の角度回動するように支持されている。【選択図】図２
0003129320.tif 000002
【実用新案登録請求の範囲】
【請求項１】
少なくとも一対の対向する面を有する基部と、
該基部の一対の対向する面に形成された凹みに両端が嵌め込まれて支持された１本の軸と、
該軸により一方の端が支持されてなる棒状の部材とを有する引き戸用ストッパーであって、
前記棒状の部材が、前記軸を中心として所定の角度回動するように支持されてなる
引き戸用ストッパー。
【請求項２】
前記棒状の部材の回動は、前記棒状の部材の前記一方の端に形成された第１の面を、前記基部に設けられた第２の面が係止することにより止まる請求項１記載の引き戸用ストッパー。
【請求項３】
前記棒状の部材の回動は、前記棒状の部材の前記一方の端に形成された第１の面を、前記基部に組み込まれた回転止め手段の第２の面が係止することにより止まる請求項１記載の引き戸用ストッパー。
【請求項４】
前記棒状の部材の他方の端に、前記棒状の部材の他方の端を中心として回動可能に設けられた第２の棒状の部材を有し、該第２の棒状の部材の自由端側を、前記基部に設けられた固定部に当接させることにより、前記棒状の部材の回動が止まる請求項１記載の引き戸用ストッパー。
【請求項５】
前記基部が金属からなり、前記固定部が弾性を有する材料からなり、前記第２の棒状の部材の自由端に、磁石が設けられてなる請求項４記載の引き戸用ストッパー。
【請求項６】
前記棒状部材の表面の少なくとも一部を覆うように緩衝部材を設けてなる請求項１、２、３、４または５記載の引き戸用ストッパー。
【請求項７】
前記基部が、引き戸の戸先および／または戸尻に形成された凹部に装着されてなる請求項１、２、３、４または５記載の引き戸用ストッパー。
【考案の詳細な説明】
【技術分野】
【０００１】
本考案は引き戸用ストッパーに関する。さらに詳しくは、引き戸の枠体に引き戸の戸先または戸尻が当接する手前で、引き戸の移動を抑止する引き戸用ストッパーに関する。
【背景技術】
【０００２】
従来、保育園、幼稚園、福祉施設等では、幼児や入居者が引き戸を閉める際に、引き戸の戸先と引き戸の枠体との間に、指などを詰める（挟む）という、不慮の事故が頻繁に起こっている。従来は、このような指詰め事故への対応策として、図１１に示されるように、建具（引き戸ＳＤ）の戸先全面に軟質系クッション材等の緩衝部材Ｃを貼り付けることで、戸先と枠体ｆ１との間に指などを挟んだとしても衝撃が和らぐような工夫を施していた。
【０００３】
また、引用文献１には、引き戸を取付ける鴨居溝レールに固定された、引き戸の荒閉まりを防止するための引き戸用緩衝ストッパーが開示されている。
【０００４】
【特許文献１】特開平７−２８６４７４号公報
【考案の開示】
【考案が解決しようとする課題】
【０００５】
しかしながら、上述した従来の技術では、戸先ＳＤの全面に貼り付けた緩衝部材Ｃは、衝撃を和らげる目的があるのみで、重い引き戸が勢い良く衝突した場合などには、やはり、事故に繋がってしまうという問題がある。さらに、緩衝部材Ｃを戸先の全面に貼り付ける場合には、ある程度の厚さの緩衝部材Ｃが必要になる。そのため、戸先と枠体とを固定する錠を設けることができず、あるいは、錠を設けたとしても施錠することができず、防犯面や管理面に配慮できなくなってしまうという問題がある。
【０００６】
また、片引き戸（とびらが１枚の引き戸）の場合には、引き戸ＳＤの幅より戸袋の幅の方が大きく設けられていることが多く、引き戸ＳＤを勢いよく開けたりすると、引き戸ＳＤの引手に手を掛けたまま、戸袋の奥まで引き戸ＳＤが移動してしまい、戸袋の面ｆ３と引き戸ＳＤとの間に指などを挟み込む事故が起こってしまうという問題もあった。
【０００７】
また、引用文献１の引き戸用緩衝ストッパーは、引き戸の鴨居溝レールに固定して使用するものであるため、緩衝ストッパーが不要のときには、わざわざ、引き戸用緩衝ストッパーを鴨居から取り外さなければならず、即応できないという問題があった。
【０００８】
本考案は上述した従来の問題に鑑みたもので、引き戸と引き戸の枠体との間に指などを挟む事故を防止し、施錠などのストッパー機能を必要としない場合にも即座に対応できる引き戸用ストッパーを提供することを目的としている。
【課題を解決するための手段】
【０００９】
本考案の引き戸用ストッパーによれば、少なくとも一対の対向する面を有する基部と、該基部の一対の対向する面に形成された凹みに両端が嵌め込まれて支持された１本の軸と、該軸により一方の端が支持されてなる棒状の部材とを有する引き戸用ストッパーであって、前記棒状の部材が、前記軸を中心として所定の角度回動するように支持されてなることにより上記目的が達成される。
【００１０】
また、前記棒状の部材の回動は、前記棒状の部材の前記一方の端に形成された第１の面を、前記基部に設けられた第２の面が係止することにより止まることが好ましい。
【００１１】
また、前記棒状の部材の回動は、前記棒状の部材の前記一方の端に形成された第１の面を、前記基部に組み込まれた回転止め手段の第２の面が係止することにより止まることが好ましい。
【００１２】
また、前記棒状の部材の他方の端に、前記棒状の部材の他方の端を中心として回動可能に設けられた第２の棒状の部材を有し、該第２の棒状の部材の自由端側を、前記基部に設けられた固定部に当接させることにより、前記棒状の部材の回動が止まることが好ましい。
【００１３】
また、前記基部が金属からなり、前記固定部が弾性を有する材料からなり、前記第２の棒状の部材の自由端に、磁石が設けられてなることが好ましい。
【００１４】
また、前記棒状部材の表面の少なくとも一部を覆うように緩衝部材を設けてなることが好ましい。
【００１５】
また、前記基部が、引き戸の戸先および／または戸尻に形成された凹部に装着されてなることが好ましい。
【考案の効果】
【００１６】
本考案の引き戸用ストッパーを、引き戸の戸先に装着した場合には、引き戸の先端と枠体との間に指などを挟む事故を防止することができ、引き戸の戸尻に装着した場合には、引き戸の引手に手を掛けたまま戸袋などの枠体と引き戸との間に指などを挟み込んでしまう事故や、戸袋の奥に引き戸の引手が隠れてしまうことを防止することができる。また、本考案の引き戸用ストッパーは、非使用時には、枠体と引き戸の先端面とを離間するための離間部材を引き戸の先端面に形成された溝に収容しておくことができるので、引き戸の先端と枠体とを固定する鍵（すなわち、外側からも内側からも施錠できる錠）を設けることができ、防犯面および管理面に配慮することができる。また、本考案の引き戸用ストッパーは、１つの形態で２通りの用途があるので、用途に応じて在庫数を所定数確保する必要がなく、在庫品の数を軽減することができる。
【考案を実施するための最良の形態】
【００１７】
本考案の引き戸用ストッパーは、引き戸の戸先や戸尻に装着され、少なくとも一対の対向する面を有する基部と、その基部の一対の対向する面に形成された凹みに両端が嵌め込まれて支持された１本の軸と、その軸により一方の端が支持されてなる棒状の部材とを有する。操作時に、前記棒状の部材が、前記軸を中心として所定の角度回動するように支持されている。後述する実施の形態１〜３は、棒状の部材の回動を止める部分の形態の違いに応じたものである。
【００１８】
ここで、本明細書において、引き戸の枠体とは、建具（すなわち、引き戸）を支えるための枠組みを意味している。本明細書では、戸袋も枠体の一部であるとして説明している。また、引き戸の戸先とは、引き戸を完全に閉めた際に、枠体に衝突する面を意味している。また、引き戸の戸尻とは、引き戸を全開状態にした際に、枠体に衝突する面を意味している。
【００１９】
以下で、添付図面を参照しながら、本考案の引き戸用ストッパーを詳細に説明する。
【００２０】
図１（ａ）は、実施の形態１の引き戸用ストッパーの縦断面図であり、離間部材（棒状の部材）が基部の内部に収容されている状態を示し、図１（ｂ）は、実施の形態１の引き戸用ストッパーの縦断面図であり、離間部材（棒状の部材）の一部が基部の内部から突出した状態を示し、図２は、実施の形態１の引き戸用ストッパーおよび引き戸に形成された凹部を示す斜視図、図３は、本考案の引き戸用ストッパーを戸先に装着して、使用している状態を説明するための図、図４は、本考案の引き戸用ストッパーを戸先に装着して使用している状態を説明するための断面図であり、（ａ）は、引き戸を引いている状態、（ｂ）は、離間部材の先端が引き戸の枠に当接している状態を示し、図５は、本考案の引き戸用ストッパーを戸尻に装着して使用している状態を説明するための断面図であり、（ａ）は、引き戸を引いている状態、（ｂ）は、離間部材の先端が引き戸の枠に当接している状態を示し、図６（ａ）は、実施の形態２の引き戸用ストッパーの縦断面図であり、離間部材（棒状の部材）が基部の内部に収容されている状態を示し、図６（ｂ）は、実施の形態２の引き戸用ストッパーの縦断面図であり、離間部材（棒状の部材）の一部が基部の内部から突出した状態を示し、図７は、実施の形態２の引き戸用ストッパーおよび引き戸に形成された凹部を示す斜視図、図８（ａ）は、実施の形態３の引き戸用ストッパーの縦断面図であり、離間部材（棒状の部材）が基部に収容されている状態を示し、図８（ｂ）は、実施の形態３の引き戸用ストッパーの縦断面図であり、離間部材（棒状の部材）の一部が基部の内部から突出した状態を示し、図９は、実施の形態３の引き戸用ストッパーおよび引き戸に形成された凹部を示す斜視図、図１０は、実施の形態１の引き戸用ストッパーにおける他の一例を示す縦断面図である。
【００２１】
実施の形態１
実施の形態１の引き戸用ストッパー１０１は、単純な構造により、離間部材３の回動角度を設定している。
【００２２】
実施の形態１の引き戸用ストッパー１０１は、図１（ａ）、図１（ｂ）および図２に示されるように、箱状の基部２０と、基部２０により支持された１本の軸（以下、回転中心軸４という）と、この回転中心軸４により一方の端が支持された棒状の部材（以下、離間部材３）とから構成されている。
【００２３】
基部２０は、引き戸用ストッパー１０１を引き戸に装着し、固定するための部材である。基部２０は、離間部材３を収容空間２０ｃ（図１（ｂ）参照）内に収容できる程度の大きさであり、少なくとも一対の対向する面（以下、支持面２０２という）を有している。支持面２０２には、回転中心軸４の両端を支持するための凹み２０ｄが、ちょうど向かい合うように形成されている。凹み２０ｄは、回転中心軸４の横断面形状に即した形状を呈しており、支持面２０２を貫通する孔であってもよい。また、一対の対向する面を接続するように設けられた１つの面（以下、固定面２００という）には、長方形状を呈した開口２０ｅと、引き戸用ストッパー１０１をねじＳＣを介して引き戸に固定するためのねじ孔２０ａ、２０ｂが形成されている。さらに、固定面２００には、離間部材３の回動を止めるための、第２の面（以下、第２の係止部２０１という）が固定面２００の内側面に凸状に形成されている。基部２０の材質としては、とくに限定されないが、金属、合成樹脂などを用いることができる。
【００２４】
回転中心軸４は、離間部材３の回動の中心となる軸であり、また、離間部材３を基部２０に保持するための部材である。回転中心軸４は、金属製の円柱状の部材で、その長さは一対の対向する支持面２０２間の距離より若干長い。既に述べたように、回転中心軸４の両端は、一対の対向する支持面２０２に形成された凹み２０ｄに嵌め込まれて、基部２０の支持面２０２により支持される。
【００２５】
離間部材３は、使用時に引き戸の先端と枠体との間に突っ張って、引き戸の先端と枠体との間を離間するための部材である。離間部材３は、略中空角柱状を呈しており、その一方の端には、回転中心軸４を保持するための回転中心軸貫通孔３ｃが、向かい合う２面を貫通するように形成されている。回転中心軸貫通孔３ｃは、回転中心軸４の横断面形状に即した形状を呈しており、その大きさは、回転中心軸４の表面に中心軸貫通孔３ｃの側縁が隙間なく密着する程度である。このように、中心軸貫通孔３ｃの側縁を回転中心軸４の表面に密着させることで、離間部材３のグラつきを防ぎ、意図せず、離間部材３が回動することを防ぐ。このほかに、離間部材３が、意図せず回動することをより確実に防ぐために、離間部材３に形成された係合孔３ｄに係合する金属製の係合片ｅを基部２０の固定面２００に設けてもよい（図１（ａ）、図１（ｂ）参照）。また、離間部材３の一方の端における側縁部３１ａは、離間部材３が第２の係止部２０１に沿って滑らかに回動するように、中心軸貫通孔３ｃの中心と同心円状に弧を描くような形状を呈している（図１（ａ）、図１（ｂ）参照）。また、離間部材３の一方の端面（第１の面（以下、第１係止部３１という））は、図１（ａ）の状態から離間部材３が角度αだけ回動すると、固定面２００に形成された第２係止部２０１に、ちょうど当接する（図１（ｂ）参照）。言い換えれば、離間部材３の第１係止部３１が、基部２０の第２係止部２０１に係止されることにより、離間部材３の回動が止まる。すなわち、離間部材３が角度αだけ回動したときに、第２係止部２０１と第１係止部３１とが当接するように、第２係止部２０１の突出状態、あるいは回転中心軸４の中心位置が設定されている。ここで、本実施の形態では、衝突時の衝撃により意図せず離間部材３が基部２０内に収容される方向（図１（ｂ）時計回り方向）に回動するのを防止するため、離間部材３の回動可能な角度αを、９０°より若干大きく設定することが好ましい。具体的には、９１°〜９３°が好ましい。たとえば、回動可能な角度αを９１°にする場合には、第１係止部３１または第２係止部２０１の面に１°の勾配を形成する。
【００２６】
また、離間部材３の他方の端には、使用時に離間部材３および回転中心軸４に加わる衝撃をやわらげるために、その表面の一部を覆うように緩衝部材Ｃが着脱可能に挿着されている。緩衝部材Ｃの材質としては、とくに限定されないが、ゴムなどの弾力のある材料を用いることができる。緩衝部材Ｃは、図１（ａ）および図１（ｂ）に示されるように、直方体の対向する一対の面の一方が凸状の曲面を呈しており、他方の面には、離間部材３の中空部に挿し込むための挿着部Ｃｂが、離間部材３の内側表面に密着するような形状を呈して突出して形成されている。さらに、この対向する一対の面に垂直な面の一つには、突出部Ｃａが形成されている。突出部Ｃａは、非使用時（離間部材３が基部２０に収容されているとき）に、基部２０の固定面２００に形成された開口２０ｅに嵌合する。また、緩衝部材Ｃを離間部材３から一旦引き抜いて、突出部Ｃａの向きを図１（ｂ）に示される向きと１８０°反転させて挿着した場合には、突出部Ｃａが、戸当りとしての役目、すなわち、戸尻が枠体Ｆ２に衝突するときの消音機能、および、引き戸または枠体Ｆ２の破損防止の機能を果たす。
【００２７】
図２に示されるように、引き戸用ストッパー１０１は、引き戸ＳＤの戸先ＳＤ１または戸尻ＳＤ２に形成された溝ＳＤａに装着され、ねじＳＣを基部２０に形成されたねじ孔２０ａおよびねじ孔２０ｂに挿通して引き戸ＳＤに螺設することで固定されている。使用時には、利用者が離間部材３を角度αだけ倒し、離間部材３の他方の端（緩衝部材Ｃが挿着されている方の端）を引き戸ＳＤの進行方向に向けた状態で使用する。このことにより、引き戸ＳＤの先端が引き戸ＳＤの枠体ｆに向かって進行しても、引き戸ＳＤの先端が枠体の面ｆ１またはｆ２に衝突する前に、離間部材３の先端部が枠体の面に衝突して、引き戸ＳＤの先端（ＳＤ１またはＳＤ２）と枠体の面（ｆ１またはｆ２）とを離間させた状態で、引き戸ＳＤの移動が制止する。
【００２８】
実施の形態１の引き戸用ストッパー１０１を引き戸に装着した場合の引き戸ＳＤの動作について説明する。図３に示されるように、引き戸用ストッパー１０１は、利用者の邪魔にならない位置、この場合、引き戸ＳＤの上方（鴨居側）に固定されている。引き戸用ストッパー１０１の離間部材３が引き戸の先端から突出した分が、ちょうど引き戸ＳＤの先端と枠体ｆとの間の離間距離ｘになる。本考案の引き戸用ストッパー１０１は、引き戸ＳＤの戸先ＳＤ１のみならず、引き戸ＳＤの戸尻ＳＤ２にも装着することができる。図４に示されるように、引き戸ＳＤの戸先ＳＤ１に本考案の引き戸用ストッパー１０１を装着した場合には、引き戸ＳＤの戸先ＳＤ１と枠体の面ｆ１との間に離間距離ｘを確保することができる。それゆえ、戸先ＳＤと枠体の面ｆ１との間に指などを挟み込んでしまう事故を防止することができる。また、図５に示されるように、引き戸ＳＤの戸尻ＳＤ２に本考案の引き戸用ストッパー１０１を装着した場合には、引き戸ＳＤの戸尻ＳＤ２と枠体の面ｆ２との間に離間距離ｘを確保することができる。それゆえ、引き戸ＳＤの戸先ＳＤ１側に設けられた引手が戸袋の奥まで移動することで、引き戸ＳＤの引手に手を掛けたまま戸袋などの枠体の面ｆ３と引き戸ＳＤとの間に指などを挟み込んでしまう事故を防止することができる。
【００２９】
実施の形態２
実施の形態２の引き戸用ストッパー１０２は、ワンタッチで離間部材３を使用状態にすることができる。
【００３０】
実施の形態２の引き戸用ストッパー１０２は、図６（ａ）および図６（ｂ）に示されるように、箱状の基部２０と、中央に開口部が形成された板状の取付部材２１と、基部２０に支持された１本の軸（以下、回転中心軸４という）と、この回転中心軸４により一方の端が支持された棒状の部材（以下、離間部材３という）と、離間部材３を基部２０から弾発的に突出させるための回転中心軸４に巻き付けられた弾発手段５と、離間部材３に係合して離間部材３の回動を止める回転止め手段６と、回転止め手段６を付勢する付勢手段７とから構成されている。
【００３１】
基部２０は、離間部材３を収容空間２０ｃ内に収容できる程度の大きさであり、少なくとも一対の対向する面（以下、支持面２０２という）を有している。支持面２０２には、回転中心軸４の両端を支持するための凹み２０ｄが、ちょうど向かい合うように形成されている。凹み２０ｄは、回転中心軸４の横断面形状に即した形状を呈しており、支持面２０２を貫通する孔であってもよい。また、基部２０の上下には、基部２０を引き戸ＳＤに固定するための片２０３が形成されている。片２０３には、基部２０を引き戸ＳＤに固定するためのねじ孔２０ａ、２０ｂが形成されている。基部２０の材質としては、とくに限定されないが、金属、合成樹脂などを用いることができる。
【００３２】
取付け部材２１は、中央に離間部材３を突出させるための開口部が形成された板状の部材である。取付け部材２１の上下には、ねじ孔２１ａ、２１ｂが形成されている。また、離間部材３を突出させるための開口部の下方には、窪みが形成されており、その底部に回転止め手段６の一部を貫通させるための操作部貫通孔２１ｃが形成されている。本実施の形態では、基部２０および取付け部材２１を引き戸ＳＤに固定するためのねじ孔が、引き戸用ストッパー１０２の正面に形成されているので、引き戸用ストッパー１０２の装着が非常に容易な作業になる。取付け部材２１の材質としては、とくに限定されないが、金属、合成樹脂などを用いることができる。
【００３３】
回転中心軸４は、実施の形態１と同様のものを用いることができるので、ここでの説明は省略する。
【００３４】
離間部材３は、図６（ａ）、図６（ｂ）および図７に示されるように、略直方体状の棒状の部材であり、回転中心軸４により、回動可能に支持されている。離間部材３には、凹状に弾発手段収容空間３ａが形成されている。また、離間部材３には、一方の端に、回転中心軸４を貫通させるための回転中心軸貫通孔３ｃと、離間部材３を基部２０の収容空間２０ｃ内部に収容した状態を維持するための凹部３ｂと、離間部材３の回動を制止するための第１の面（以下、第１係止部３１という）とが形成されている。また、離間部材３の一方の端における側縁部３１ａは、離間部材３が滑らかに回動するように、中心軸貫通孔３ｃの中心と同心円状に弧を描くような形状を呈している（図６（ａ）、図６（ｂ）参照）。さらに、離間部材３には、他方の端に、緩衝部材Ｃを取り付けるための凸部３２が形成されている。緩衝部材Ｃは、凸部３２に嵌合し、離間部材３の表面の少なくとも一部を覆うように取り付けられている。緩衝部材Ｃの材質としては、とくに限定されないが、ゴムなどの弾力のある材料を用いることができる。
【００３５】
弾発手段５は、回転中心軸４に巻き付けられた金属製の線材であり、その一方の端５１を基部２０の固定面２００に当接させて固定面２００を押圧し、他方の端５２を離間部材３に形成された弾発手段収容空間３ａ内の面に当接させて離間部材３を押圧している。
【００３６】
回転止め手段６は、図６（ａ）および図６（ｂ）に示されるように、略Ｌ字状を呈している。回転止め手段６の一方の端部（以下、操作部６３という）は取付け部材２１に形成された操作部貫通孔２１ｃに貫通されて支持されており、回転止め手段６が基部２０の収容空間２０ｃ内に組込まれている。また、回転止め手段６の他方の端部には離間部材３の回動を止めるための第２の面（以下、第２係止部６１という）が形成されている。この第２係止部６１によって、離間部材３の凹部３ｂまたは第１係止部３１（第１の面）が係止されることにより、離間部材３の回動が止まる。基部２０の固定面２００に平行に設けられた回転止め手段６の面には、付勢手段貫通孔６ａが形成されている。さらに、回転止め手段６には、付勢手段貫通孔６ａに対向するように当接部６２が突出して設けられている。当接部６２および付勢手段貫通孔６ａは、後述する付勢手段７を所定の位置に保持するために形成されたものである。
【００３７】
付勢手段７は、図６（ａ）および図６（ｂ）に示されるように、圧縮コイルバネからなり、一方の端は基部２０の固定面２００に当接され、回転止め手段６に形成された付勢手段貫通孔６ａを経て、他方の端は回転止め手段６の当接部６２に当接されている。これにより、利用者が指などで回転止め手段６の操作部６３を押圧して、回転止め手段６を水平方向（図６（ａ）、紙面右方向）に移動させても、利用者が回転止め手段６の操作部６３から指を離せば、回転止め手段６は、付勢手段７により付勢されて、水平方向（図６（ｂ）、紙面左方向）に移動し、元の位置に戻る。
【００３８】
つぎに、実施の形態２の引き戸用ストッパー１０２の動作を説明する。
【００３９】
図７に示されるように、引き戸用ストッパー１０２は、引き戸ＳＤの戸先ＳＤ１または戸尻ＳＤ２に形成された溝ＳＤａに装着され、ねじＳＣを取付け部材２１および基部２０に形成されたねじ孔２１ａ、２０ａおよびねじ孔２１ｂ、２０ｂに挿通して引き戸ＳＤに螺設することで固定されている。非使用時には、回転止め手段６の第２係止部６１が離間部材３の凹部３ｂに係合しており、離間部材３が基部２０の収容空間２０ｃ内に収容された状態を維持している。使用時には、利用者が回転止め手段６の操作部６３を取付け部材２１の外側から指などで押圧することで、回転止め手段６が水平方向（図６（ａ）、図６（ｂ）の紙面左右方向）に移動する。この回転止め手段６の水平移動により、第２係止部６１が離間部材３の凹部３ｂから外れ、この瞬間に、弾発手段５の他方の端５２が離間部材３を弾発的に押し倒し、弾発手段５によって押圧力を受けた離間部材３は回転中心軸４を中心として回動する。この回動は、離間部材３に形成された第１係止部３１が、回転止め手段６の第２係止部６１と係合すると止まる。本考案の引き戸用ストッパー１０２は、離間部材３の他方の端（緩衝部材Ｃが挿着されている方の端）を引き戸ＳＤの進行方向に向けた状態で使用する。このことにより、引き戸ＳＤの先端が引き戸ＳＤの枠体の面（ｆ１またはｆ２）に向かって進行しても、引き戸ＳＤの先端が枠体の面（ｆ１またはｆ２）に衝突する前に、引き戸用ストッパー１０２の離間部材３の先端部が枠体の面（ｆ１またはｆ２）に衝突して、引き戸ＳＤの先端と枠体の面（ｆ１またはｆ２）とを離間させた状態で、引き戸ＳＤの移動が制止する。
【００４０】
非使用時の状態に戻す際には、利用者が、離間部材３の端（緩衝部材Ｃが取り付けられている方）を基部２０の収容空間２０ｃ内に収まる方向に押し上げることで、離間部材３に形成された凹部３ｂに回転止め手段６の第２係止部６１が再び係合し、離間部材３が基部２０の収容空間２０ｃ内に収容された状態になる。
【００４１】
実施の形態２の引き戸用ストッパー１０２を引き戸ＳＤに装着した場合の引き戸ＳＤの動作は、前述した実施の形態１の場合と同様であるので、ここでの説明は省略する。
【００４２】
実施の形態３
実施の形態３の引き戸用ストッパー１０３は、離間部材３の回動角度を変更できるので、引き戸ＳＤと枠体の面ｆ１、ｆ２との距離、すなわち離間距離ｘを選択することができる。
【００４３】
実施の形態３の引き戸用ストッパー１０３は、図８（ａ）および図８（ｂ）に示されるように、横断面が略コ字状の基部２０と、基部２０に支持された１本の軸（以下、回転中心軸４という）と、回転中心軸４によって一方の端が回動可能に支持された棒状の部材（以下、離間部材３という）と、離間部材３の他方の端に形成された孔に貫通されている回転軸８０と、回転軸８０を介して離間部材３の他方の端で回動可能に設けられた第２の棒状の部材（以下、支持部材８という）と、支持部材８の先端に取り付けられた磁石８１と、支持部材８の先端を基部２０に係止するための固定部（以下、第１の滑り止め９１、第２の滑り止め９２、第３の滑り止め９３という）とから構成されている。
【００４４】
基部２０は、横断面が略コ字状の部材であり、少なくとも一対の対向する面（以下、支持面２０２という）を有している。支持面２０２には、回転中心軸４の両端を支持するための凹み２０ｄがちょうど向かい合うように形成されている（図９参照）。凹み２０ｄは、回転中心軸４の横断面形状に即した形状を呈しており、支持面２０２を貫通する孔であってもよい。また、基部２０における、一対の対向する面を接続するように設けられた１つの面（以下、固定面２００という）には、引き戸用ストッパー１０３を引き戸ＳＤに固定するためのねじ孔２０ａ、２０ｂが形成されている。基部２０の材質としては、後述する磁石８１を磁力で引きつけるような金属を用いる。
【００４５】
回転中心軸４は、実施の形態１と同様のものを用いることができるので、ここでの説明は省略する。
【００４６】
離間部材３は、略コの字状の部材であり、一方の端には回転中心軸４を貫通させるための回転中心軸貫通孔３ｃが形成されている。また、他方の端には、回転軸８０を貫通させるための孔または回転軸８０を保持するための凹部（図示せず）が形成されており、離間部材３は、回転軸８０を介して支持部材８を保持する。
【００４７】
回転軸８０は、既に述べたように、離間部材３の一端に形成された孔を貫通し、支持部材８を離間部材３に対して回動可能に支持するためのものである。回転軸８０の材質としては、とくに限定されないが、金属などを用いることができる。また、回転軸８０には、使用時に離間部材３および回転中心軸４に加わる衝撃をやわらげるための緩衝部材Ｃが設けられている。緩衝部材Ｃは、円柱状を呈した弾力のある部材を回転軸８０の表面を覆うように取り付けたものである。緩衝部材Ｃの材質としては、とくに限定されないが、ゴムなどの弾力のある材料を用いることができる。
【００４８】
支持部材８は、略コの字状の部材であり、その一方の端が回転軸８０を保持している。また、他方の端には、磁石８１が取り付けられている。支持部材８は、回転軸８０を中心として回動可能に取り付けられている。
【００４９】
磁石８１は、支持部材８の先端に取り付けられており、使用時には、支持部材８の先端を磁力により、後述の滑り止め９１、９２、９３を介して金属製の基部２０に引き合わせることで支持部材８を支持する。磁石８１の幅は、基部２０の支持面２０２に対をなして固着された第１の滑り止め９１、第２の滑り止め９２または第３の滑り止め９３に引っ掛かるように支持部材８の幅より若干大きく設定されている。
【００５０】
一対の第１の滑り止め９１、一対の第２の滑り止め９２、一対の第３の滑り止め９３は、板状の部材に略Ｖ字状の切り込みを形成した部材であり、基部２０の支持面２０２に接着剤や、両面テープなどで固着されている。滑り止め９１、９２、９３の固着位置は、とくに限定されるものではなく、引き戸ＳＤと枠体の面（ｆ１またはｆ２）との距離、すなわち離間距離ｘを考慮して適宜決定すればよい。磁石８１の先端面８１ａが滑り止め９１、９２、９３に形成された当接面９１ａ、９２ａ、９３ａに当接することで、支持部材８と離間部材３とが所定の角度をなした状態に維持される。
【００５１】
つぎに、実施の形態３の引き戸用ストッパー１０３の動作を説明する。
【００５２】
図９に示されるように、引き戸用ストッパー１０３は、引き戸ＳＤの戸先ＳＤ１または戸尻ＳＤ２に形成された溝ＳＤａに装着され、ねじＳＣを基部２０に形成されたねじ孔２０ａおよびねじ孔２０ｂに挿通して引き戸ＳＤに螺設することで固定されている。本実施の形態の引き戸用ストッパー１０３に対応する溝ＳＤａの長さは、基部２０の全長に、離間部材３の長さと支持部材８の長さを加えた程度である。非使用時には、図８（ａ）に示されるように、回転中心軸４に離間部材３と支持部材８とは基部２０に収納されたような状態で、引き戸ＳＤの溝ＳＤａに納められている。使用時には、図８（ｂ）に示されるように、利用者は、支持部材８の先端部（磁石８１）を基部２０に固着された滑り止め９１、９２、９３のいずれか一つに当接させて、磁石８１の磁力により、支持部材８が基部２０に引き留められる。このとき、支持部材８は、離間部材３の端部に設けられた回転軸８０を中心として回動し、さらに、離間部材３は、基部２０に設けられた回転中心軸４を中心として回動する。このように、複数の滑り止め９１、９２、９３のうちのいずれか一つを選択して、磁石８１を介して支持部材８を固定することにより、離間距離ｘの大きさを変えることができる。たとえば、図８（ｂ）に示されるように、離間距離ｘ１を必要としているならば、支持部材８の先端を第３の滑り止め９３に係止すればよいし、離間距離ｘ３を必要としているならば、支持部材８の先端を第１の滑り止め９１に係止すればよい。
【００５３】
非使用状態に戻す際には、利用者が、滑り止め９１、９２、９３のいずれかに係止された支持部材８の端部を、磁石８１の磁力より強い力で基部２０から引き離すことにより、支持部材８および離間部材８をそれぞれの回転軸を中心に回動させて、回転中心軸４に離間部材３と支持部材８とが収納された状態に戻す。
【００５４】
実施の形態３の引き戸用ストッパー１０３を引き戸ＳＤに装着した場合の引き戸ＳＤの動作は、前述した実施の形態１の場合と同様であるので、ここでの説明は省略する。
【００５５】
本考案の引き戸用ストッパーは、とくに限定されるものではないが、子供、お年寄り、体に障害を持つ人が利用する施設、たとえば幼稚園、保育所、福祉施設などに用いられる引き戸に装着することが、より効果的である。
【００５６】
以上の実施の形態の引き戸用ストッパーによれば、使用時に、離間部材３の長手方向を引き戸ＳＤの進行方向に向けた状態で支持することで、引き戸ＳＤの進行方向先端部（ＳＤ１またはＳＤ２）から離間部材３が突出した状態になる。この状態のまま、引き戸ＳＤの先端（ＳＤ１またはＳＤ２）が枠体の面（ｆ１またはｆ２）に向かって進行すると、離間部材３の先端部が枠体の面（ｆ１またはｆ２）に衝突し、引き戸ＳＤの先端（ＳＤ１またはＳＤ２）は枠体の面（ｆ１またはｆ２）から離間した状態で移動が止まる。これにより、本考案の引き戸用ストッパーを、引き戸ＳＤの戸先ＳＤ１に装着した場合には、引き戸ＳＤの先端ＳＤ１と枠体の面ｆ１との間に指を挟むなどの事故を防止することができ、引き戸ＳＤの戸尻ＳＤ２に装着した場合には、引き戸ＳＤの引手に手を掛けたまま引き戸ＳＤが移動して戸袋などの枠体の面ｆ３と引き戸ＳＤとの間に指などを挟み込んでしまう事故や、戸袋の奥に引き戸ＳＤの引手が隠れてしまうことを防止することができる。また、本考案の引き戸用ストッパーは、非使用時には、離間部材３を引き戸ＳＤの先端面（ＳＤ１またはＳＤ２）に形成された溝ＳＤａに収容しておくことができるので、引き戸ＳＤの戸先ＳＤ１と枠体の面ｆ１とを固定する鍵（すなわち、外側からも内側からも施錠できる錠）を設けることができ、防犯面に配慮することができる。また、本考案の引き戸用ストッパーは、１つの形態で２通りの用途があるので、用途に応じて在庫数を所定数確保する必要がなく、在庫品の数を軽減することができる。
【００５７】
なお、上記実施の形態では、引き戸用ストッパー１０１、１０２、１０３を引き戸の戸ＳＤ１先または戸尻ＳＤ２に形成された凹部ＳＤａに装着した場合について説明したが、本考案はこれに限定されるものではなく、引き戸用ストッパー１０１、１０２、１０３を引き戸の枠体に形成された凹部に装着してもよい。
【００５８】
また、上記実施の形態では、引き戸用ストッパー１０１、１０２、１０３を引き戸ＳＤの戸先ＳＤ１または戸尻ＳＤ２のいずれか一方にのみ装着した場合について説明したが、本考案はこれに限定されるものではなく、引き戸用ストッパー１０１、１０２、１０３を引き戸ＳＤの戸先ＳＤ１と戸尻ＳＤ２の両方に装着してもよい。この場合、引き戸ＳＤの戸先ＳＤ１と戸尻ＳＤ２に同一の形態の引き戸用ストッパーを装着してもよいし、戸先ＳＤ１と戸尻ＳＤ２で異なる形態の引き戸用ストッパーを装着してもよい。
【００５９】
また、上記実施の形態では、回転中心軸４を離間部材３とは別個の部材として説明したが、本考案はこれに限定されるものではなく、回転中心軸４が離間部材３に一体的に形成された部材であってもよい。
【００６０】
また、上記実施の形態では、引き戸用ストッパー１０１、１０２、１０３をねじＳＣを用いて引き戸ＳＤに固定した場合について説明したが、本考案はこれに限定されるものではなく、引き戸用ストッパーに鍔を設けたり、あるいは接着剤や両面テープなどを用いて引き戸ＳＤに固定してもよい。
【００６１】
また、上記実施の形態１では、図１（ａ）に示される引き戸用ストッパー１０１が、基部２０の形状が箱状である場合について説明したが、本考案の引き戸用ストッパーは、図１０に示されるように、基部２０の上部を切り落としたような形態であってもよい。この場合、使用者は、基部２０の上部を切り落とした部分に指を入れて離間部材３を倒すことができるので、より簡単に引き戸用ストッパーを使用状態（離間部材３が突出した状態）にすることができる。
【００６２】
また、上記実施の形態３では、滑り止め（固定部）を基部２０の３箇所に取り付けた場合について説明したが、本考案はこれに限定されるものではなく、滑り止めの個数は適宜決定することができる。
【００６３】
また、上記実施の形態３では、支持部材８の先端に磁石８１を設け、金属製の基部２０に支持部材８の先端を滑り止め（固定部）に引き留める形態について説明したが、本考案はこれに限定されるものではなく、基部２０に固着する滑り止めを磁石とし、支持部材８を金属製にして、支持部材８の先端を滑り止め（固定部）に引き留める形態であってもよい。
【図面の簡単な説明】
【００６４】
【図１（ａ）】実施の形態１の引き戸用ストッパーの縦断面図であり、離間部材（棒状の部材）が基部の内部に収容されている状態を示す。
【図１（ｂ）】実施の形態１の引き戸用ストッパーの縦断面図であり、離間部材（棒状の部材）の一部が基部の内部から突出した状態を示す。
【図２】実施の形態１の引き戸用ストッパーおよび引き戸に形成された凹部を示す斜視図である。
【図３】本考案の引き戸用ストッパーを戸先に装着して、使用している状態を説明するための図である。
【図４】本考案の引き戸用ストッパーを戸先に装着して使用している状態を説明するための断面図であり、（ａ）は、引き戸を引いている状態を示し、（ｂ）は、引き戸に装着した引き戸用ストッパーの離間部材（棒状の部材）の先端が引き戸の枠に当接している状態を示す。
【図５】本考案の引き戸用ストッパーを戸尻に装着して使用している状態を説明するための断面図であり、（ａ）は、引き戸を引いている状態を示し、（ｂ）は、引き戸に装着した引き戸用ストッパーの離間部材（棒状の部材）の先端が引き戸の枠に当接している状態を示す。
【図６（ａ）】実施の形態２の引き戸用ストッパーの縦断面図であり、離間部材（棒状の部材）が基部の内部に収容されている状態を示す。
【図６（ｂ）】実施の形態２の引き戸用ストッパーの縦断面図であり、離間部材（棒状の部材）の一部が基部の内部から突出した状態を示す。
【図７】実施の形態２の引き戸用ストッパーおよび引き戸に形成された凹部を示す斜視図である。
【図８（ａ）】実施の形態３の引き戸用ストッパーの縦断面図であり、離間部材（棒状の部材）が基部に収容されている状態を示す。
【図８（ｂ）】実施の形態３の引き戸用ストッパーの縦断面図であり、離間部材（棒状の部材）の一部が基部から突出した状態を示す。
【図９】実施の形態３の引き戸用ストッパーおよび引き戸に形成された凹部を示す斜視図である。
【図１０】実施の形態１の引き戸用ストッパーにおける他の一例を示す縦断面図である。
【図１１】従来の引き戸の問題を説明するための図である。
【符号の説明】
【００６５】
３  離間部材（棒状の部材）
４  回転中心軸（軸）
６  回転止め手段
８  支持部材（第２の棒状部材）
２０  基部
２０ｃ  収容空間
２０ｄ  凹み
３１  第１係止部（第１の面）
Ｃ  緩衝部材
６１、８１ａ  第２係止部（第２の面）
８１  磁石
９１、９２、９３  滑り止め（固定部）
１０１、１０２、１０３  引き戸用ストッパー
２０２  支持面（一対の対向する面）
【図１（ａ）】
0003129320.tif 000003
【図１（ｂ）】
0003129320.tif 000004
【図２】
0003129320.tif 000005
【図３】
0003129320.tif 000006
【図４】
0003129320.tif 000007
【図５】
0003129320.tif 000008
【図６（ａ）】
0003129320.tif 000009
【図６（ｂ）】
0003129320.tif 000010
【図７】
0003129320.tif 000011
【図８（ａ）】
0003129320.tif 000012
【図８（ｂ）】
0003129320.tif 000013
【図９】
0003129320.tif 000014
【図１０】
0003129320.tif 000015
【図１１】
0003129320.tif 000016